(57)【特許請求の範囲】
【請求項１】
左右の側板、背板、天板及び底板を有する略矩形の本体部と、この本体部の前面開口部に取外し自在に設けられる前板とを備え、前記本体部内に貯湯タンクを収納した貯湯タンクユニットにおいて、
前記前板は、その下部に前記本体部の前記前面開口部の下端部に引掛けるため、前記前板の下端部に沿って設けられる直方体の突起部を有し、
前記本体部は、前記天板の前端部と前記前面開口部の下端部に、前記前板の上部を係止するための係止部と、前記前板の突起部の底部を引掛けて前記前板を本体に仮固定する受け部とをそれぞれ有したことを特徴とする貯湯タンクユニット。
【請求項２】
前記本体部の係止部は、前記天板を前面側に張り出して折り曲げられた折り曲げ部を有し、
前記前板は、その上部が前記折り曲げ部と前記本体部の前面側との間に挿入されて係止され、
前記折り曲げ部内、又は前記前板の上端部に弾性体が設けられていることを特徴とする請求項１に記載の貯湯タンクユニット。
【請求項３】
前記前板を本体に仮固定でき、かつ、スムーズに取り付けることができるように、前記前板の突起部の前記受け部と接する面を、前記受け部に対して奥方が上方に向かう勾−配を設けた面とすることを特徴とする請求項１又は請求項２に記載の貯湯タンクユニット。
【請求項４】
前記前板は、上下に複数に分割されており、かつ、回転可能に連結され、分割されたそれぞれの部材が独立して開閉自在とされていることを特徴とする請求項１乃至請求項３のいずれか一項に記載の貯湯タンクユニット。
【発明の詳細な説明】
【技術分野】
【０００１】
本発明は、温水を貯湯する貯湯タンクを筐体内に収納した貯湯タンクユニットに関するものである。
【背景技術】
【０００２】
この種の貯湯タンクユニットとして、左右の側面板、背面板、天板及び底板を有する略矩形のユニット筐体と、このユニット筐体の前面側に取付られる前面パネルとを備え、ユニット筐体内に温水を貯湯する貯湯タンクを備えた貯湯タンクユニットが知られている（例えば、特許文献１参照）。この種の貯湯タンクユニットにおける前面板のユニット筐体への固定構造について、図１１（ａ）（ｂ）を参照して説明する。この種の貯湯タンクユニット１００は、貯湯タンク１０１と、貯湯タンク１０１を収納する略矩形の筐体１０２と、筐体１０２を支える脚部１０３で構成される。また、筐体１０２は、メンテナンスのために筐体１０２の前面側に取外し自在に設けられる前扉１０４と、ビス等で互いに固定されている背板１０５、左右の側板１０６、１０７、天板１０８、及び底板１０９により形成されている。
【０００３】
この貯湯タンクユニット１００の前扉１０４の筐体１０２への取付は、図１１（ｂ）に示すように、天板１０８と側板１０６、１０７により形成される空間に前扉１０４の上端部を差込み、さらに前扉１０４を筐体１０２の前面側の左右の側板１０６、１０７及び底板１０９に作業者が手で押付けて接触させながら、ビス等で前扉１０４を筐体１０２に固定していた。
【０００４】
しかしながら、このような取り付け方では、前扉１０４を筐体１０２にビス固定するまでの間、前扉１０４がその重さにより矢印の方向に落下しないように、前扉１０４を筐体１０２に接触させて手で押さえておいたり、接着テープなどで仮止めしたりする必要があり、作業が極めて面倒であった。
【特許文献１】特開２００４−１４４４３８号公報
【発明の開示】
【発明が解決しようとする課題】
【０００５】
本発明は、上記問題を解決するためになされたものであり、前扉を取外し自在に設けられた筐体に貯湯タンクを収納した貯湯タンクユニットにおいて、筐体への前扉の取り付けを簡便、かつ、安全に行うことができる貯湯タンクユニットを提供することを目的とする。
【課題を解決するための手段】
【０００６】
上記目的を達成するために請求項１の発明は、左右の側板、背板、天板及び底板を有する略矩形の本体部と、この本体部の前面開口部に取外し自在に設けられる前板とを備え、前記本体部内に貯湯タンクを収納した貯湯タンクユニットにおいて、前記前板は、その下部に前記本体部の前記前面開口部の下端部に引掛けるため、前記前板の下端部に沿って設けられる直方体の突起部を有し、前記本体部は、前記天板の前端部と前記前面開口部の下端部に、前記前板の上部を係止するための係止部と、前記前板の突起部の底部を引掛けて前記前板を本体に仮固定する受け部とをそれぞれ有したことを特徴とする。
【０００７】
請求項２の発明は、請求項１に記載の貯湯タンクユニットにおいて、前記本体部の係止部は、前記天板を前面側に張り出して折り曲げられた折り曲げ部を有し、前記前板は、その上部が前記折り曲げ部と前記本体部の前面側との間に挿入されて係止され、前記折り曲げ部内、又は前記前板の上端部に弾性体が設けられているものである。
【０００８】
請求項３の発明は、請求項１又は請求項２に記載の貯湯タンクユニットにおいて、前記前板を本体に仮固定でき、かつ、スムーズに取り付けることができるように、前記前板の突起部の前記受け部と接する面を、前記受け部に対して奥方が上方に向かう勾配を設けた面とするものである。
【０００９】
請求項４の発明は、請求項１乃至請求項３のいずれか一項に記載の貯湯タンクユニットにおいて、前記前板は、上下に複数に分割されており、かつ、回転可能に連結され、分割されたそれぞれの部材が独立して開閉自在とされているものである。
【発明の効果】
【００１０】
請求項１の発明によれば、前板を本体部に取り付けるとき、前板の上端部を本体部の係止部で係止させ、その下端部を受け部に引掛けることにより、前板を本体部に仮固定することができる。従って、作業者は前板を本体部にビス等で本固定するまでの間、前板を保持する必要がないため、前板の取り付け作業を簡便、かつ、安全に行うことができる。
【００１１】
請求項２の発明によれば、弾性体の反発力により前板がより強く本体部に仮固定されるので、作業中の振動等で不意に前板が外れてしまうことがなくなる。また、弾性体により前板と本体部との密着性が良くなり、雨滴が前板を伝って本体部内に入り込むことを防止することができる。
【００１２】
請求項３の発明によれば、前板の突起部に奥方向の勾配が形成されているので、突起部を本体部の受け部にスムースに引掛けることができ、前板の本体部への取付が容易になる。
【００１３】
請求項４の発明によれば、施工やメンテナンス時の本体部内の調整設定作業時に、前板を全部取り外す必要がなく、本体部内の調整場所に近いところの分割された前板だけを開放して作業を行うことができるので、調整設定作業が簡便になる。
【発明を実施するための最良の形態】
【００１４】
本発明の第１の実施形態に係る貯湯タンクユニットついて図１乃至図４を参照して説明する。図１は、本実施形態における貯湯タンクユニット１の構成を示す。この貯湯タンクユニット１は、温水を貯湯する貯湯タンク２と、貯湯タンク２を収納する略矩形の金属製筐体からなる本体部３と、本体部３の前面に取り外し自在に設けられる金属製の前扉（前板）４と、本体部３を支える脚部５とを備えている。なお、本体部３及び前扉４は、樹脂製であってもよい。
【００１５】
本体部３は、左右の側板３１、３２、背板３３、天板３４及び底板３５を有し、これら各板３１乃至３５により、前面側に前扉４が取り付けられて覆われる前面開口部３０が形成されている。また、本体部３は、天板３４の前端部と前面開口部３０の下端部に位置する底板３５の前端部とに、それぞれ前扉４の上端部４２を係止するための係止部３４ａと、前扉４の突起部４１を引掛けるための受け部３５ａとを有している。
【００１６】
係止部３４ａは、前扉４の上端部４２が挿入されるように、天板３４を前面側に張り出して折り曲げた折り曲げ部３４ｂを有する。前扉４は、その上端部４２が折り曲げ部３４ｂと本体部３の前面側（前面開口部３０側）との間に挿入されて係止される。受け部３５ａは、底板３５の前端部が本体部３の側面から見て上方にＬ型に折り曲げて形成され、前扉４の突起部４１を支えるための底板３５と略平行な受け面を有し、前面開口部３０の下端部となっている。
【００１７】
前扉４は、メンテナンスのために本体部３前面において開放可能なように、本体部３の前面開口部３０に取外し自在に設けられ、前扉４の下端部４３に本体部３の受け部３５ａに引掛けるための突起部４１を有している。突起部４１は、前扉４の下端部４３に沿い、略同一線上に位置する２つの直方体から成る突起が本体部３内に向かって突出する形で形成され、これら直方体の底部で受け部３５ａに引掛けられるようになっている。
【００１８】
図２（ａ）（ｂ）に示すように、本体部３は、貯湯タンク２の湯の温度制御や湯量制御等を行う制御部６をさらに備え、制御部６は、制御パラメータを設定するための制御盤６１を有し、制御盤６１は、並行して両側板３１、３２間に固定された２つの桟７にビス止め等により固定されている。また、貯湯タンク２は、その底部２ｂに固定された貯湯タンク２を支える複数の支持脚８（８ａ、８ｂ、８ｃ等）を有し、この支持脚８は、本体部３の底板３５に固定され、これにより貯湯タンク２が本体部３内に固定され、収納される。また、貯湯タンク２の頂部２ａには、貯湯タンク２内の湯を出湯する給湯管２１ａが接続されている。この給湯管２１ａは、貯湯タンク２に沿って下方に配管され、配管を接続する接続台となる底板３５に取付けられた外部給湯用の接続口２２ａに接続される。また、貯湯タンク２の底部２ｂ側には、貯湯タンク２に水を供給する給水管２１ｂが接合され、本体部３の底板３５に取付けられた給水用の接続口２２ｂに接続されている。また、本体部３の開放可能な前扉４は、閉鎖される場合は、上記２つの桟７にビス止め等により止められる。なお、前扉４を、底板３５など桟７以外の他の部分にビス止めしてもよい。また、天板３４は、周囲の側板３１、３２、背板３３の上端部において、その周囲に亘って複数のビスによりビス止めされている。なお、貯湯タンク２は、保温のため、その周囲を断熱材で包んでもよい。
【００１９】
前扉４の本体部３への取り付けについては、図３及び図４に示すように、ユーザは、先ず、前扉４を持ち上げて、前扉４の上端部４２を天板３４の係止部３４ａの折り曲げ部３４ｂと本体部３の前面側の前面開口部３０との間に挿入して係止する。この状態で、前扉４の下端部４３を本体部３の前面開口部３０に押付けると、前扉４の突起部４１が本体部３の受け部３５ａの平面上で受けられることによって支持される。これにより、前扉４は、係止部３４ａと受け部３５ａにより保持される。すなわち、従来のように前扉４を手で押さえたり、接着テープなどで仮保持することなく、簡単に前扉４を本体部３に仮固定することができる。従って、この仮固定の状態で、ビス止め等により前扉４を本体部３に簡単に本固定することができる。
【００２０】
このように、第１の実施形態においては、本体部３に係止部３４ａと受け部３５ａを備え、前扉４に突起部４１を設けたことにより、前扉４を本体部３に取り付けるとき、作業者は前扉４を本体部３にビス等で本固定するまでの間、前扉４を係止部３４ａと受け部３５ａにより本体部３に仮固定することが可能になる。これにより、前扉４を手や接着テープで仮保持する必要がないため、前扉４の取り付け作業を簡便、かつ、安全に行うことができる。
【００２１】
次に、本発明の第２の実施形態に係る貯湯タンクユニットについて図５（ａ）（ｂ）及び図６を参照して説明する。本実施形態は、前記実施形態と基本的に同じ構成であるが、折り曲げ部３４ｂ内、又は前扉４の上端部４２に弾性体９が設けられている点で異なる。
【００２２】
本実施形態の本体部３は、係止部３４ａの折り曲げ部３４ｂ内にゴム部材等の弾性体９を装着している。この構成により、前扉４の上端部４２が折り曲げ部３４ｂ内に挿入されると、前扉４の上端部４２は弾性体９の弾力により矢印で示す下方への圧力を受けるので、前扉４の突起部４１を本体部３の受け部３５ａ上に乗せたとき、弾性体９からの圧力により、係止部３４ａと前扉４の上端部４２間及び突起部４１と受け部３５ａ間を圧接させて、密着させることができる。これにより、前扉４を本体部３により強く仮固定することができ、作業中の振動などで前扉４が本体部３から落下することを避けることができる。なお、ここでは、弾性体９は、本体部３の前面側に沿って折り曲げ部３４ｂ内に連続的に形成されているが、連続的でなく、折り曲げ部３４ｂ内に複数に分離されて配置されていてもよい。また、弾性体９を折り曲げ部３４ｂ内でなく、前扉４の上端部４２に設けても同様の効果を得ることができる。
【００２３】
このように、第２の実施形態においては、弾性体９の反発力により前扉４がより強固に本体部３に仮固定されることとなり、作業中に不意に前扉４が外れてしまうことが防止でき、作業の安全性が高まる。また、弾性体９により前扉４と本体部３との密着性が良くなるので、雨滴が前扉４を伝って本体部３内に入り込むことを防止することができる。
【００２４】
次に、本発明の第３の実施形態に係る貯湯タンクユニットについて図７（ａ）（ｂ）及び図８を参照して説明する。本実施形態は、前記実施形態と基本的に同じ構成であるが、前扉４の突起部４１の受け部３５ａと接する面に奥方が上方に向かう勾配を設けた点で異なる。
【００２５】
すなわち、前扉４は、突起部４１の受け部３５ａと接する面４１ａが受け部３５ａと傾斜角θの勾配を持つ。この勾配により、突起部４１を受け部３５ａに接触させて乗せる際、突起部４１が受け部３５ａの先端部に引っ掛かることが少なく、スムーズに受け部３５ａに乗せて本体部３の奥に挿入することができる。特に、係止部３４ａの折り曲げ部３４ｂ内にゴム部材等の弾性体９を装着しているので、弾性体９からの反発力を受けながら突起部４１を受け部３５ａに乗せなければならないが、このような場合にも、突起部４１の勾配により、前扉４をスムーズに本体部３に取り付けることができる。
【００２６】
このように、第３の実施形態においては、前扉４の突起部４１に奥方が上方に向かう勾配を設けたことにより、前扉４を本体部３に取付時にスムースな取り付けが可能となり、従って、仮固定をより容易に行うことができる。
【００２７】
次に、本発明の第４の実施形態に係る貯湯タンクユニットについて図９及び図１０を参照して説明する。本実施形態は、前記実施形態と基本的に同じ構成であるが、前扉４は、上下に複数に分割されており、かつ、回転可能に連結され、分割されたそれぞれの部材が独立して開閉自在とされている点で異なる。
【００２８】
本実施形態における貯湯タンクユニット１の前扉４は、上扉４４と下扉４５の上下に分割されており、これらの各扉は互いに２つの蝶番４６で接続されている。ここでは、上扉４４は、その中に中扉４４ａを備え、中扉４４ａは前記蝶番４６により下扉４５と同様に回転自在に固定されており、上扉４４自体は本体部３に固定されている。これにより、下扉４５及び中扉４４ａは、蝶番４６を基にして本体部３から開閉自在となっている。
【００２９】
図１０に示すように、例えば、下扉４５は、蝶番４６を基に回転して本体部３の下部から開放されるので、ユーザは、前扉４全体を本体部３から取り外すことなく、本体部３の下部の内部を覗くことができる。この開放した本体部３の下部の部分には、給湯管２１ａ、給水管２１ｂ等の配管及び制御弁（不図示）等の配設された状態を見ることができ、下扉４５を開放することにより、種々の配管等の施工、制御弁調整等が可能となる。また、中扉４４ａを開放することにより、制御部６の調整が可能になる。なお、制御部６を本体部３の下部に配設することもでき、この場合は、下扉４５だけを開いて、配管や制御弁の施工、調整に加え、制御部６における貯湯タンク２の貯湯温度等の各種調整や設定が可能となる。
【００３０】
このように、第４の実施形態においては、前扉４を、上下に複数に分割して、かつ、回転可能に連結して、分割されたそれぞれの部材が独立して開閉自在としたことにより、施工やメンテナンス時の本体部３内の調整設定作業時に、前扉４を全部取り外す必要がなく、本体部３内の調整場所に近いところの分割された前扉４部分だけを開放して作業を行うことができるので、調整設定作業が簡便になる。特に、貯湯タンクユニット１の前面を覆う形状の前扉４は、一般的に強度や耐久性を確保するために鋼板が用いられることが多く、通常、人が持ち運ぶには、寸法的に大きく、重量的にも重たいので、取扱いが困難である。従って、予め施工やメンテナンス作業に必要な本体部３の部位のみを開口できるように前扉４を分割することにより、前扉４の開放部分を必要最小限の大きさにできるので、取り扱う前扉４のサイズが小さくなり、施工やメンテナンス作業が容易になる。また、本体部３から前扉４全体を取外すことが殆どなくなるので、前扉４の取外しに伴う前扉４の転倒や飛散の危険性を低減することができる。
【００３１】
なお、本発明は、上記実施形態等に限られるものでなく、さらに適宜に変更することができる。例えば、本実施形態では、係止部は天板と一体でなく独立に形成してもよく、また、受け部は底板と一体に形成したが、両側板に固定される桟等で形成してもよい。また、各板間の固定はビスに限らず溶接などの他の手段であってもよい。また、背板及び２つの側板を一体に形成してもよい。
【図面の簡単な説明】
【００３２】
【図１】本発明の第１の実施形態に係る貯湯タンクユニットの斜視図。
【図２】（ａ）は上記ユニットの前扉を開放したときの正面図、（ｂ）は同ユニットの側面図。
【図３】（ａ）は上記ユニットの前扉を本体部に取り付ける前の状態を示す図、（ｂ）は同ユニットの前扉の正面図。
【図４】上記ユニットの前扉の本体部への取り付け途中と取り付けた状態を示す図。
【図５】（ａ）は本発明の第２の実施形態に係る貯湯タンクユニットの前扉を本体部に取り付ける前の状態を示す図、（ｂ）は同ユニットの前扉の本体部への取り付け途中と取り付けた状態を示す図。
【図６】図５（ｂ）のＡ部の一部破断の拡大図。
【図７】（ａ）は本発明の第３の実施形態に係る貯湯タンクユニットの前扉を本体部に取り付ける前の状態を示す図、（ｂ）は同ユニットの前扉の本体部への取り付け途中と取り付けた状態を示す図。
【図８】図７（ｂ）のＢ部の一部破断の拡大図。
【図９】本発明の第４の実施形態に係る貯湯タンクユニットの斜視図。
【図１０】上記ユニットの分割した前扉の下側を開放した状態を示す図。
【図１１】（ａ）は従来の貯湯タンクユニットの斜視図、（ｂ）は同ユニットの側面図。
【符号の説明】
【００３３】
１  貯湯タンクユニット
２  貯湯タンク
３  本体部
４  前扉（前板）
９  弾性体
３０  前面開口部
３１、３２  側板
３３  背板
３４  天板
３４ａ  係止部
３４ｂ  折り曲げ部
３５  底板
３５ａ  受け部
４１  突起部
θ  傾斜角（勾配）
【図１】
0005133078.tif 000002
【図２】
0005133078.tif 000003
【図３】
0005133078.tif 000004
【図４】
0005133078.tif 000005
【図５】
0005133078.tif 000006
【図６】
0005133078.tif 000007
【図７】
0005133078.tif 000008
【図８】
0005133078.tif 000009
【図９】
0005133078.tif 000010
【図１０】
0005133078.tif 000011
【図１１】
0005133078.tif 000012